(57)【特許請求の範囲】
【請求項１】
人体に着用される衣料であって、
前記衣料が前記人体に着用された際に、前記人体の乳房に対応する位置に位置し、緊締力を付与する第１部分と、
前記衣料が前記人体に着用された際に、前記人体の乳房に対応する位置の周囲に位置し、前記第１部分よりも大きい緊締力を付与する第２部分と、
を備え、
前記第２部分は前記衣料が前記人体に着用された際に前記乳房に対応する位置の周囲から前記人体の鎖骨に対応する位置の周囲まで位置し、前記鎖骨に対応する位置には前記第１部分より弱い緊締力を付与する部分を備えたことを特徴とする衣料。
【請求項２】
請求項１に記載の衣料であって、
前記第２部分は前記衣料が前記人体に着用された際に前記乳房に対応する位置の周囲から前記人体の肩甲骨に対応する位置の周囲まで位置し、前記肩甲骨に対応する位置には前記第１部分より弱い緊締力を付与する部分を備えたことを特徴とする衣料。
【請求項３】
請求項１又は２の何れかに記載の衣料であって、
前記第２部分は前記衣料が前記人体に着用された際に前記乳房に対応する位置の周囲から前記人体の腹直筋上部に対応する位置の周囲まで位置し、前記腹直筋上部に対応する位置には前記第２部分より弱い緊締力を付与する部分を備えたことを特徴とする衣料。
【請求項４】
請求項１〜３の何れかに記載の衣料であって、
前記第２部分は前記衣料が前記人体に着用された際に前記乳房に対応する位置の周囲から前記人体の下位肋骨部及び下位胸椎部に対応する位置の周囲まで位置し、前記下位肋骨部及び下位胸椎部に対応する位置には前記第２部分より弱い緊締力を付与する部分を備えたことを特徴とする衣料。
【請求項５】
請求項１〜４の何れかに記載の衣料であって、
前記第２部分は前記衣料が前記人体に着用された際に前記人体の胸郭底に対応する位置において前記人体の胴部を周回するように位置し、前記胸郭底に対応する位置には前記第２部分より弱い緊締力を付与する部分を備えたことを特徴とする衣料。
【発明の詳細な説明】
【技術分野】
【０００１】
本発明は、人体に着用される衣料に関する。
【背景技術】
【０００２】
コンディショニングウェアなど、人体に着用された際に人体の筋肉に緊締力を付与する衣料は既に知られている。このような衣料は、上記緊締力により筋肉をサポートし、例えば、筋肉の疲労の軽減の防止を目的として着用される（例えば、特許文献１参照）。
【先行技術文献】
【特許文献】
【０００３】
【特許文献１】特開２００９−２９３１４５号公報
【発明の概要】
【発明が解決しようとする課題】
【０００４】
ところで、胸部に乳房を有する人が運動する際には、乳房が揺れることにより、運動の妨げとなる。しかし、既存のコンディショニングウェアでは、乳房の揺れを十分に抑制できなかった。
【０００５】
本発明はかかる従来の課題に鑑みて成されたもので、その目的とするところは、運動の際の乳房の揺れを軽減する衣料を提供することを目的とする。
【課題を解決するための手段】
【０００６】
かかる目的を達成するために、主たる発明は、人体に着用される衣料であって、前記衣料が前記人体に着用された際に、前記人体の乳房に対応する位置に位置し、緊締力を付与する第１部分と、前記衣料が前記人体に着用された際に、前記人体の乳房に対応する位置の周囲に位置し、前記第１部分よりも大きい緊締力を付与する第２部分と、を備え、前記第２部分は前記衣料が前記人体に着用された際に前記乳房に対応する位置の周囲から前記人体の鎖骨に対応する位置の周囲まで位置し、前記鎖骨に対応する位置には前記第１部分より弱い緊締力を付与する部分を備えたことを特徴とする衣料である。
【０００７】
本発明の他の特徴については、本明細書及び添付図面の記載により明らかにする。
【図面の簡単な説明】
【０００８】
【図１】トップス１０を前方（腹側）から見た図である。
【図２】トップス１０を後方（背側）から見た図である。
【図３】トップス１０を側方から見た図である。
【図４Ａ】トップス１０の前面での左右方向にかかる緊締力の作用状況を示す図である。
【図４Ｂ】トップス１０の前面での上下方向にかかる緊締力の作用状況を示す図である。
【図５Ａ】乳房とその周囲における緊締力の作用状況を示す正面図である。
【図５Ｂ】乳房とその周囲における緊締力の作用状況を示す側面図である。
【図６】トップス１０の側面における緊締力の作用状況を示す図である。
【図７Ａ】強緊締部の編組織を示した図である。
【図７Ｂ】中緊締部の編組織を示した図である。
【図７Ｃ】弱緊締部の編組織を示した図である。
【発明を実施するための形態】
【０００９】
本明細書及び添付図面の記載により少なくとも次のことが明らかにされる。
【００１０】
まず、人体に着用される衣料であって、前記衣料が前記人体に着用された際に、前記人体の乳房に対応する位置に位置し、緊締力を付与する第１部分と、前記衣料が前記人体に着用された際に、前記人体の乳房に対応する位置の周囲に位置し、前記第１部分よりも大きい緊締力を付与する第２部分と、を備えることを特徴とする衣料である。  
かかる構成の衣料を人体に着用すると、運動の際の乳房の揺れを軽減することができる。
【００１１】
また、かかる衣料であって、前記第２部分は前記衣料が前記人体に着用された際に前記乳房に対応する位置の周囲から前記人体の鎖骨に対応する位置の周囲まで位置し、前記鎖骨に対応する位置には前記第１部分より弱い緊締力を付与する部分を備えたことを特徴とする衣料である。  
かかる構成の衣料を人体に着用すると、乳房周囲から鎖骨周囲に対しては強緊締力を付与することで乳房の重量を支持でき、かつ鎖骨に対しては圧迫しないように必要以上には緊締力を付与しないことで鎖骨運動の自由度を確保することができる。
【００１２】
また、かかる衣料であって、前記第２部分は前記衣料が前記人体に着用された際に前記乳房に対応する位置の周囲から前記人体の肩甲骨に対応する位置の周囲まで位置し、前記肩甲骨に対応する位置には前記第１部分より弱い緊締力を付与する部分を備えたことを特徴とする衣料である。  
かかる構成の衣料を人体に着用すると、乳房周囲から肩甲骨周囲に対しては強緊締力を付与することで乳房の重量を支持でき、かつ肩甲骨に対しては圧迫しないように必要以上には緊締力を付与しないことで肩甲骨の自由な動きを確保することができる。
【００１３】
また、かかる衣料であって、前記第２部分は前記衣料が前記人体に着用された際に前記乳房に対応する位置の周囲から前記人体の腹直筋上部に対応する位置の周囲まで位置し、前記腹直筋上部に対応する位置には前記第２部分より弱い緊締力を付与する部分を備えたことを特徴とする衣料である。  
かかる構成の衣料を人体に着用すると、乳房周囲から腹直筋上部周囲に対しては強緊締力を付与することで乳房の重量を支持でき、かつ腹直筋上部に対しては圧迫しないように必要以上には緊締力を付与しないことで横隔膜が上下に運動する自由を確保することができる。
【００１４】
また、かかる衣料であって、前記第２部分は前記衣料が前記人体に着用された際に前記乳房に対応する位置の周囲から前記人体の下位肋骨部及び下位胸椎部に対応する位置の周囲まで位置し、前記下位肋骨部及び下位胸椎部に対応する位置には前記第２部分より弱い緊締力を付与する部分を備えたことを特徴とする衣料である。  
かかる構成の衣料を人体に着用すると、乳房周囲から下位肋骨部及び下位胸椎部周囲に対しては強緊締力を付与することで乳房の重量を支持でき、かつ下位肋骨部及び下位胸椎部に対しては圧迫しないように必要以上には緊締力を付与しないことで前屈運動における柔軟性を確保することができる。
【００１５】
また、かかる衣料であって、前記第２部分は前記衣料が前記人体に着用された際に前記人体の胸郭底に対応する位置において前記人体の胴部を周回するように位置し、前記胸郭底に対応する位置には前記第２部分より弱い緊締力を付与する部分を備えたことを特徴とする衣料である。  
かかる構成の衣料を人体に着用すると、胸郭前方に位置する乳房の重みを支える能力を向上させることができる。
【００１６】
＝＝＝本実施形態の衣料の形状＝＝＝
本発明の衣料の一例として、図１〜図３に示す上半身用のコンディショニングウェア（以下、トップス１０）について説明する。
【００１７】
図１は、トップス１０を前方（腹側）から見た図である。図２は、トップス１０を後方（背側）から見た図である。図３は、トップス１０を側方から見た図である。
【００１８】
トップス１０は、図１〜図３に示すように、胴部１１を有するノースリーブシャツ型コンディショニングウェアのレディースモデルである。本実施形態のトップス１０は、いずれも、伸縮性を有する生地からなる衣料であり、人体に着用された際に人体にフィットして人体の所定の部位（所定の部位については後述する）に緊締力を付与する。ここで、緊締力とは、生地の張力によって生じ、人体の各部位を締め付けて各部位を制動するような力のことである。
【００１９】
そして、本実施形態のトップス１０は、図１〜図３に示すように、互いに伸縮度合いが異なる３種類の生地部分を有する。すなわち、本実施形態のトップス１０は、いずれも、互いに伸縮度合いが異なる３種類の部分（図１〜図３中、白、グレー、黒色にて塗り分けられた部分）を有している。ここで、伸縮度合いとは、伸縮し易さのことである。伸縮度合いが小さい（伸縮し難い）とは、元の状態（外力が付与されていない状態）を維持し易い生地の性質（つまり、大きな外力を加えないと伸びず、伸びた状態で外力が解放された場合には、元の状態に戻り易い性質）を表し、伸縮度合いが大きい（伸縮し易い）とは、元の状態を維持し難い生地の性質（つまり、小さな外力で伸び、伸びた状態で外力が解放された場合に、元の状態に戻り難い性質）を表す。
【００２０】
本実施形態では、トップス１０の生地の伸縮度合いが３段階に設定されているため、トップス１０が人体に着用された際に人体に付与される緊締力が、３段階に設定されていることになる。なお、当然のことながら、当該緊締力は、生地の伸縮度合いが大きくなるほど弱くなる。このため、トップス１０は、最も伸縮度合いが小さいために最も強い緊締力を人体の各部位に付与する生地部分（以下、強緊締部）と、最も伸縮度合いが大きいために最も弱い緊締力を人体の各部位に付与する生地部分（以下、弱緊締部）と、伸縮度合いが強緊締部より大きく、且つ、弱緊締部より小さいために、強緊締部より弱く、且つ、弱緊締部より強い緊締力を人体の各部位に付与する生地部分（以下、中緊締部）と、を有することになる。なお、図１〜図３中、白く塗られた部分が強緊締部に、グレーで塗られた部分が中緊締部に、黒く塗られた部分が弱緊締部に、それぞれ相当する。
【００２１】
以下、トップス１０について、強緊締部、中緊締部、及び、弱緊締部の配置について、トップス１０が人体に着用された状態での上記配置について説明する。ここで、人体の所定部位（例えば、所定の筋肉、骨など）に対応する位置とは、前記所定部位を覆う位置のことを意味する（つまり、人体の所定部位に対応する位置の奥に当該所定部位が存在する）。
【００２２】
なお、人体の相対的位置関係について、上下とは、頭部に近い方が上であり、足指に近い方が下であるとする。また、前後とは、顔や腹が向いている方が前であり、背が向いている方が後ろである。
【００２３】
＜＜各部位の配置＞＞
本実施形態のトップス１０では、図１〜図３に示すように、強緊締部、中緊締部、及び、弱緊締部が、それぞれ、人体の中心軸を中心として左右対称に連携された状態で配置されている。以下、トップス１０における強緊締部、中緊締部、及び、弱緊締部の各々の配置について説明する。
【００２４】
＜中緊締部の配置＞
トップス１０の前面では、図１に示すように、乳房に対応する位置に中緊締部である第１部分ｙ１１が配置される。  
また、図１に示すように、腹直筋上部に対応する位置に中緊締部である第７部分ｙ１２と、腹直筋中央部に対応する位置に中緊締部である部分ｙ１３と、が配置される。  
また、図２に示すように、下位肋骨部及び下位胸椎部に対応する位置に中緊締部である第９部分ｙ２２が配置される。
【００２５】
＜弱緊締部の配置＞
トップス１０の前面では、図１に示すように、鎖骨に対応する位置に弱緊締部である第３部分ｚ１１が配置される。  
一方、トップス１０の後面では、図２に示すように、肩甲骨に対応する位置に弱緊締部である第５部分ｚ２１が配置される。
【００２６】
＜強緊締部の配置＞
トップス１０の前面において、中緊締部が配置される乳房に対応する位置に配置された第１部分ｙ１１の周囲に、強緊締部である第２部分ｘ１１が配置される。また、弱緊締部が配置される鎖骨に対応する位置に配置された第３部分ｚ１１の周囲に、強緊締部である第４部分ｘ１２が配置される。また、腹直筋上部に対応する位置に配置された第７部分ｙ１２の周囲に、強緊締部である第８部分ｘ１３が配置され、腹直筋中央部に対応する位置に配置された部分ｙ１３の周囲に、強緊締部である部分ｘ１４が配置される。
【００２７】
また、トップス１０の後面において、肩甲骨に対応する位置に配置された第５部分ｚ２１の周囲に強緊締部である第６部分ｘ２１が配置される。また、下位肋骨部及び下位胸椎部に対応する位置に配置された第９部分ｙ２２の周囲に、強緊締部である第１０部分ｘ２２が配置される。
【００２８】
また、図１〜図３に示すように、胸郭底に対応する位置であって前記人体の胴部を周回するような位置に、強緊締部である第１１部分ｘ１５が配置される。なお、第１１部分に隣接する第１２部分として、中緊締部である部分ｙ１２（第７部分にも相当）及び部分ｙ１３と、中緊締部である部分ｙ２２（第９部分にも相当）とが配置されている。
【００２９】
＝＝本実施形態の衣料の有効性＝＝
コンディショニングウェアは、乳房を有する人体に着用されることにより、人体の乳房などの各部位に緊締力を付与して、運動しやすいように体をサポートする。
【００３０】
＜乳房への着圧＞
本実施形態のトップス１０によれば、人体に着用されるトップス１０であって、トップス１０が人体に着用された際に、人体の乳房に対応する位置に位置し、中緊締力を付与する第１部分ｙ１１と、トップス１０が人体に着用された際に、人体の乳房に対応する位置の周囲に位置し、強緊締力を付与する第２部分ｘ１１と、を備えることにより、運動の際の乳房の揺れを軽減することができる。
【００３１】
乳房は、乳房の周囲の部位に比べて柔らかく、固定力が弱いという特徴を有する。トップス１０は乳房と乳房の周囲に緊締力を付与することによって、固定力が弱い乳房の揺れを軽減することができる。ここで、乳房と乳房の周囲に対して同じ強さの緊締力を付与すれば、乳房は、この緊締力により押しつぶされて大胸筋の上で広がってしまい、かえって安定しなくなる。そこで、乳房の周囲には、第１部分ｙ１１よりも強い緊締力を有する第２部分ｘ１１で緊締力を付与することで、乳房が乳房の周囲に広がることを抑制する。また、乳房には、第２部分ｘ１１よりも弱い緊締力を有する第１部分ｙ１１で緊締力を付与することで、乳房の周囲の部位に比べて柔らかい乳房を第１部分ｙ１１で包み込むようにして支持する。つまり、乳房を弱い緊締力の第１部分ｙ１１に誘導して支持することで、乳房の位置及び形状を安定させる。これにより、運動の際の乳房の揺れを軽減することができる。
【００３２】
＜鎖骨に対応する位置への着圧＞
本実施形態のトップス１０によれば、トップス１０が、人体に着用された際に、人体の鎖骨に対応する位置に位置し、弱緊締力を付与する第３部分ｚ１１と、トップス１０が、人体に着用された際に、人体の鎖骨に対応する位置の周囲に位置し、強緊締力を付与する第４部分ｘ１２と、を備えることにより、鎖骨運動の自由度を確保することができる。具体的には、鎖骨に沿って上方部２ｃｍ幅で胸骨柄中心から鎖骨遠位方向に鎖骨を２／３被うよう部分に弱緊締力を付与する。これにより、鎖骨運動の支点として機能する胸鎖関節の自由を確保し、鎖骨運動の自由度を確保することとした。
【００３３】
また、鎖骨の下には鎖骨下動脈と鎖骨下静脈と腕神経層が通っており、鎖骨に弱緊締力を付与することで、鎖骨下の血管への圧迫を抑制し、もって血流阻害が生じることを防ぐ。
【００３４】
なお、乳房に対応する部分については中緊締力を付与することとしたが、鎖骨に対応する位置には中緊締力よりも弱い弱緊締力を付与することとした。これは、上記のように、乳房に対しては乳房を支持するための緊締力が必要であるが、鎖骨に対しては緊締力を付与する必要性が乏しいからである。
【００３５】
＜肩甲骨に対応する位置への着圧＞
本実施形態のトップス１０によれば、トップス１０が人体に着用された際に、人体の肩甲骨に対応する位置に位置し、弱緊締力を付与する第５部分ｚ２１と、トップス１０が人体に着用された際に、人体の肩甲骨に対応する位置の周囲に位置し、強緊締力を付与する第６部分ｘ２１と、を備えることにより、肩甲骨の自由な動きを確保することができる。
【００３６】
肩運動は、肩甲骨が自由に動くことによって実現される動きである。トップス１０は、肩甲骨に対して第５部分ｚ２１によって強緊締力よりも弱い弱緊締力を付与し、肩甲骨の周囲に対して第６部分ｘ２１によって強緊締力を付与する。すなわち、肩甲骨に対しては周囲よりも弱い緊締力を付与することで、肩甲骨を必要以上に圧迫することがない。これにより、肩甲骨の自由な動きを確保できるので、腕を振る動作などの肩運動を違和感なく行うことができる。
【００３７】
＜腹直筋上部に対応する位置への着圧＞
本実施形態のトップス１０によれば、トップス１０が前記人体に着用された際に、人体の腹直筋上部に対応する位置に位置し、中緊締力を付与する第７部分ｙ１２と、トップス１０が人体に着用された際に、人体の腹直筋上部に対応する位置の周囲に位置し強緊締力を付与する第８部分ｘ１３と、を備えることにより、横隔膜が上下に運動する自由を確保することができる。
【００３８】
横隔膜の上下運動を行うときには腹直筋上部が膨らんだり凹んだりするが、腹直筋上部に強い緊締力が付与されると腹直筋上部が膨らむことができず、したがって横隔膜の上下運動も妨げられることとなる。トップス１０は、腹直筋上部に対して第７部分ｙ１２によって強緊締力よりも弱い中緊締力を付与し、腹直筋上部の周囲に対して第８部分ｘ１３によって強緊締力を付与する。すなわち、腹直筋上部に対しては周囲よりも弱い緊締力を付与することで、腹直筋上部を必要以上に圧迫することがない。これにより、腹直筋上部の膨らむ動きを確保できるので、横隔膜の上下運動を円滑に行うことができる。
【００３９】
＜下位肋骨部及び下位胸椎部に対応する位置への着圧＞
本実施形態のトップス１０によれば、トップス１０が人体に着用された際に、人体の下位肋骨部及び下位胸椎部に対応する位置に位置し、中緊締力を付与する第９部分ｙ２２と、トップス１０が前記人体に着用された際に、人体の下位肋骨部及び下位胸椎部に対応する位置の周囲に位置し、強緊締力を付与する第１０部分ｘ２２と、を備えることにより、前屈運動における柔軟性を確保することができる。
【００４０】
前屈運動を行うときには、トップス１０の背面側がトップス１０の前面側よりも上下方向に伸びる必要がある。トップス１０は、下位肋骨部及び下位胸椎部に対して第９部分ｙ２２によって強緊締力よりも弱い中緊締力を付与し、下位肋骨部及び下位胸椎部の周囲に対して第１０部分ｘ２２によって強緊締力を付与する。すなわち、トップス１０の背面側に中緊締部である第９部分ｙ２２を配置することによって、トップス１０の背面側が上下方向に伸びやすくした。これにより、前屈運動における柔軟性を確保することができる。
【００４１】
また、本実施形態のトップス１０によれば、前面において下位肋骨部及び下位胸椎部に対応する位置に、中緊締力を付与する部分ｙ１３を配置し、背面において下位肋骨部及び下位胸椎部に対応する位置に、中緊締力を付与する第９部分ｙ２２を配置することによって、トップス１０が体を捻る方向に伸びやすくした。これにより、水平面（上下方向に対して垂直な面）での回旋運動における柔軟性を確保することができる。
【００４２】
＜胸郭底に対応する位置への着圧＞
本実施形態のトップス１０によれば、トップス１０が人体に着用された際に、人体の胸郭底に対応する位置において人体の胴部を周回するように位置し、強緊締力を付与する第１１部分ｘ１５と、トップス１０が人体に着用された際に、人体の胸郭底に対応する位置に隣接して位置し、中緊締力を付与する第１２部分ｙ１２、ｙ１３、ｙ２２と、を備えることにより、胸郭腔内の重みと胸郭前方に位置する乳房の重みとを支える能力を向上させることができる。すなわち、腹直筋上部に対応する部分など緩めるべき部分を緩めつつ、乳房などの下方へ落ちようとする重みを強緊締力を付与する第１１部分ｘ１５で支持することができる。
【００４３】
＜各緊締力の関係＞
本実施形態のトップス１０によれば、第３部分ｚ１１に付与される緊締力は、第１部分ｙ１１に付与される緊締力よりも小さくすることにより、乳房に対しては乳房の重量を支持するために必要な緊締力を付与し、鎖骨に対しては圧迫しないように必要以上には緊締力を付与しないことができる。
【００４４】
さらに、トップス１０は、強緊締力が付与されている部位と、強緊締力よりも弱い中緊締力が付与されている部位と、中緊締力よりも弱い弱緊締力が付与されている部位、のみを備え、第１部分ｙ１１には中緊締力が付与され、第２部分ｘ１１及び第４部分ｘ１２には強緊締力が付与され、第３部分ｚ１１には弱緊締力が付与されることにより、鎖骨に対しては弱緊締力を付与することで鎖骨を圧迫しないようにし、乳房に対しては中緊締力を付与することで乳房の形状を維持しつつ乳房の重量を支持し、乳房及び鎖骨の周囲に対しては強緊締力を付与することで乳房を支持する第１部分ｙ１１を支持することができる。
【００４５】
図４Ａは、トップス１０の前面での左右方向にかかる緊締力の作用状況を示す図であり、図４Ｂは、トップス１０の前面での上下方向にかかる緊締力の作用状況を示す図である。また、図５Ａは、乳房とその周囲における緊締力の作用状況を示す正面図であり、図５Ｂは、乳房とその周囲における緊締力の作用状況を示す側面図である。図４及び図５に示すように、乳房を中緊締力の第１部分ｙ１１に誘導して支持する一方で、第２部分ｘ１１により乳房の周囲に強い緊締力を付与することで、乳房を大胸筋（不図示）に安定させることができ、また乳房の左右への広がりを抑制することができる。また、トップス１０によれば、乳房を有する人（例えば、女性）が、体を回旋させたり、上下運動させたりした場合であっても、乳房への中緊締力により、乳房の揺れを胸郭に沿って安定させ、また乳房の形状を美しく保ちつつ、乳房の周囲への強緊締力により、乳房の揺れを緩和させることができる。
【００４６】
具体的には、ゴルフ、テニス、バトミントン等のスイング等や、ソフトボールや野球のスローイング等のように腕を振る動作を女性がするときには、胸の前方にある乳房が左右に揺れることから、腕を振り抜く動作に支障があった。特に、腕を体の後ろに回して振りかぶるテイクバック動作において、両乳房は大胸筋とともに胸の中心から左右に離され、乳房の厚みが小さくなるように変形する。しかし、トップス１０によれば、乳房へ中緊締力を付与しつつ乳房の周囲に強緊締力を付与することにより、大胸筋の広がりに対して、乳房を胸の中心方向に戻すように作用し、両乳房が左右へ広がることを抑制することができる。
【００４７】
また、腕振りの動作において、大胸筋が短縮し、両乳房が中心に戻る際にぶつかって、乳房内に衝撃を与えるという課題があった。しかし、トップス１０によれば、乳房に対して中緊締力を付与し、乳房の周囲（両大胸筋付着部から胸骨全域、及び横隔膜に対応する位置）に強緊締力を付与することで、乳房の形状を安定化させることができ、もって乳房内への衝撃を緩和することができる。
【００４８】
また、乳房の重心から胸椎までの距離が長いと、胸椎を支持する胸背部筋（僧帽筋と菱形筋）が疲労しやすくなる。胸背部筋が疲労すると、胸椎が後弯状態になりやすく、胸郭前方方面の大胸筋も縮み、円背を発生しやすいという課題がある。しかし、トップス１０によれば、乳房に中緊締力を付与することにより、乳房の厚みを小さくし（すなわち、乳房の重心から胸椎までの距離を短くし）、胸背部筋にかかる負担を軽減することができ、もって円背を抑制することができる。
【００４９】
また、図６に示すように、鎖骨に対応する第３部分ｘ１１と肩甲骨に対応する第５部分ｚ２１と乳房に対応する第１部分ｙ１１とを除き、強緊締力の部分（第２部分ｘ１１、第４部分ｘ１２、第６部分ｘ２１）を肩と胸郭後面に配置したことで、姿勢が引上げられ（矢印Ａ）、乳房が上方に持ち上げられる（矢印Ｂ）ことにより、胸背部筋にかかる負担を軽減することができ、装着者の姿勢を安定させることができる。
【００５０】
また、乳房が揺れると、衣服との摩擦により乳頭が痛むことがある。しかし、トップス１０によれば、乳房の揺れを抑制し、また乳房に中緊締力を付与しながら包み込むことで衣服と乳頭との摩擦を抑制することができる。
【００５１】
＝＝強緊締部、中緊締部、及び、弱緊締部の形成方法＝＝
本実施形態のトップス１０は、既に説明したように、人体の各部位に付与する緊締力を当該各部位に応じて変えるために、互いに伸縮度合いが異なる３種類の部分（すなわち、強緊締部、中緊締部、及び、弱緊締部）を備えている。そして、本実施形態では、トップス１０及びパンツ２０の各々の生地の編組織を切替えることにより（つまり、編み分けを行うことにより）、前記トップス１０の各々に前記３種類の部分を形成している。ここで、生地の編組織を切替える（編み分けを行う）とは、生地内における編目の密度（度目密度）、地糸や挿入糸の種類、及び、各種類の糸の存在比率を変えることである。
【００５２】
以下、本実施形態のトップス１０の各々における、前記３種類の部分の形成方法について、図７Ａ〜図７Ｃを参照しながら説明する。図７Ａは、強緊締部の編組織を示した図である。図７Ｂは、中緊締部の編組織を示した図である。図７Ｃは、弱緊締部の編組織を示した図である。なお、図７Ａ〜図７Ｃには、それぞれ、矢印にて、各編組織の縦方向（図中、コース方向）及び横方向（図中、ウェール方向）を示している。
【００５３】
本実施形態では、トップス１０の生地が、無縫製型横編機によって製造される。そして、当該無縫製型横編機による生地の製造工程において、３種類の編み分けを行うことにより、完成した生地に、互いに伸縮度合いが異なる３種類の部分が形成される。本実施形態では、生地内の度目密度を３段階に変化させるとともに、編組織を作るために使用されるナイロン系繊維、及び、ポリウレタン系繊維（通称、スパンデックス）の各々の存在比率を３段階に変化させている。
【００５４】
また、本実施形態では、生地内の度目密度を変化させる方法として、編組織を形成する際の針抜きを行う回数を変化させている。編組織を形成する際に針抜きを全く行わない場合には、前記編組織の縦方向の各部（コース）に連続した編目（ウェール）が並ぶ。一方、針抜きを行った場合、当該針抜きを行った箇所には編目が編成されず、編目の並びが不連続になる。そして、各コースにおいてウェールが編成されない箇所が多い部分であるほど（すなわち、各コースを編成する際の針抜き回数が多い部分であるほど）、生地の収縮性が高くなる。したがって、本実施形態では、図７Ａ〜図７Ｃに示すように、各コースを編成する際の針抜き回数を、トップス１０の生地中、強緊締部に相当する部分の編組織において最も多くし、中緊締部に相当する部分の編組織において２番目に多くし、弱緊締部に相当する部分の編組織において最も少なくする（本実施形態では、弱緊締部に相当する部分の編組織については針抜きを行わない）。
【００５５】
また、ナイロン系繊維及びポリウレタン系繊維の各々の存在比率については、より高弾性なポリウレタン系繊維の存在比率が高い部分ほど、生地の伸張抵抗が高くなる。したがって、本実施形態では、ポリウレタン系繊維の存在比率を、強緊締部に相当する部分の編組織において最も高くし、中緊締部に相当する部分の編組織において２番目に高くし、弱緊締部に相当する部分の編組織において最も低くする。
【００５６】
以上のような編分けにより、トップス１０の生地に、互いに伸縮度合いが異なる３種類の部分が形成されることになる。この結果、完成品であるトップス１０には、強緊締部、中緊締部、及び、弱緊締部が備えられることになる。
【００５７】
ところで、トップス１０に、強緊締部、中緊締部、及び、弱緊締部を備える方法としては、上記の方法以外に、例えば、同一の編組織からなる生地（すなわち、編み分けを行っていない生地であり、以下、無変調生地）の裏側に、強緊締部、中緊締部、及び、弱緊締部の配置に応じて、他の生地を縫い付ける方法（所謂、裏打ち縫合）も考えられる。つまり、無変調生地の、強緊締部に相当する部分の裏側には、伸縮度合いが比較的小さい生地を縫い付け、前記無変調生地の、中緊締部に相当する部分の裏側には、伸縮度合いが比較的大きい生地を縫い付ける方法であってもよい。
【００５８】
但し、無変調生地に他の生地を縫い付けて製造されたトップス１０を着用すると、無変調生地の裏側に生地が重ねられた分、着用者の皮膚に対する着圧が強くなり、着用者に圧迫感を与えてしまう。また、無変調生地の裏側に生地を縫い付けられることにより形成される縫い目が着用者の皮膚に押し付けられる結果、当該皮膚に前記縫い目の痕が付き、前記着用者に不快感を与えてしまう。
【００５９】
これに対し、本実施形態のトップス１０では、強緊締部、中緊締部、及び、弱緊締部が編み分けによって同一の生地に形成されているため、生地の縫い合わせによって生じる着圧の上昇が回避される。また、前述したように、本実施形態のトップス１０の生地は無縫製型横編機により製造されるため、裏打ち縫合の場合と比較して、縫い目の数が格段に少なくなる。このため、トップス１０が着用された際に、着用者の皮膚に縫い目の痕が付くのを抑制することが可能になる。したがって、本実施形態のトップス１０は、着用された際に適宜な着用感を着用者に与え、長時間の着用に適したコンディショニングウェアである。
【００６０】
＝＝その他の実施例＝＝
以上、上記の実施形態に基づきトップス１０について説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００６１】
例えば、本発明の実施形態は、上記の実施形態における形状（トップスの外形形状や、強緊締部、中緊締部、及び、弱緊締部の形状や配置等）や生地の材質に限定されるものではない。
【符号の説明】
【００６２】
１０  トップス
ｘ１１  第２部分
ｘ１２  第４部分
ｘ１３  第８部分
ｘ１４  部分
ｘ１５  第１１部分
ｘ２１  第６部分
ｘ２２  第１０部分
ｙ１１  第１部分
ｙ１２  第７部分
ｙ１３  部分
ｙ２２  第９部分
ｚ１１  第３部分
ｚ２１  第５部分
【図１】
0005538043.tif 000002
【図２】
0005538043.tif 000003
【図３】
0005538043.tif 000004
【図４Ａ】
0005538043.tif 000005
【図４Ｂ】
0005538043.tif 000006
【図５Ａ】
0005538043.tif 000007
【図５Ｂ】
0005538043.tif 000008
【図６】
0005538043.tif 000009
【図７Ａ】
0005538043.tif 000010
【図７Ｂ】
0005538043.tif 000011
【図７Ｃ】
0005538043.tif 000012